(57)【要約】【課題】  専用のマイクコードを介して出力モジュール部と接続されるコンデンサマイクロホンユニットにおいて、簡単な構成により携帯電話機などから送出される強い電磁波による雑音の発生を効果的に防止する。【解決手段】  マイクロホンカプセル１０が支持筐体２０に対して例えば交換可能に支持され、支持筐体２０内に出力モジュール部と接続するための２芯シールド被覆線からなるマイクコード３０が引き込まれているコンデンサマイクロホンユニットにおいて、マイクコード３０の支持筐体２０内に引き込まれる部分にシールド被覆線３３を剥き出しとしたシールド被覆線露出部３３ａを設け、このシールド被覆線露出部３３ａにドーナツ状に形成された止め金具４０をかしめにより固着し、シールド被覆線３３を止め金具４０を介して支持筐体２０に接続する。【選択図】  図１
2006074107.tif 000002
【特許請求の範囲】
【請求項１】
２芯シールド被覆線からなるマイクコードを介して音声出力回路を有する出力モジュール部に接続されるコンデンサマイクロホンユニットを備え、上記コンデンサマイクロホンユニットには、円筒状のハウジング内に振動板と固定極とを対向的に収納してなるマイクロホンカプセルと、一端側で上記マイクロホンカプセルを支持し他端側にコード導入孔を有する金属製で円筒状の支持筐体とが含まれ、上記支持筐体内に上記固定極と所定の導通手段を介して電気的に接続されるインピーダンス変換器が実装されている回路基板が設けられているとともに、上記コード導入孔から上記マイクコードの一端が引き込まれて上記回路基板に接続されるコンデンサマイクロホンにおいて、
上記マイクコードは上記支持筐体内に引き込まれる部分にシールド被覆線を剥き出しとしたシールド被覆線露出部を備え、上記支持筐体内には環状であって内周側が上記シールド被覆線露出部に固着され外周側が上記支持筐体の内面と電気的に接続される上記コード導入孔よりも大径である止め金具が設けられていることを特徴とするコンデンサマイクロホン。
【請求項２】
上記マイクコードの上記シールド被覆線露出部より先の部分には上記シールド被覆線が除去されていることを特徴とする請求項１に記載のコンデンサマイクロホン。
【請求項３】
上記止め金具の内周側には、上記シールド被覆線露出部が挿通され塑性変形によって上記シールド被覆線露出部に固着されるかしめ用のスリーブが一体に形成されていることを特徴とする請求項１または２に記載のコンデンサマイクロホン。
【請求項４】
上記支持筐体内には、同支持筐体の内面に摩擦的に係合し上記止め金具を押さえ込むようにして固定する座金が配置されていることを特徴とする請求項１，２または３に記載のコンデンサマイクロホン。
【請求項５】
上記支持筐体の内面には雌ネジが形成され、上記止め金具の外周面には上記雌ネジと螺合する雄ネジが形成されていて、上記止め金具が上記支持筐体内にネジ止めされることを特徴とする請求項１，２または３に記載のコンデンサマイクロホン。
【発明の詳細な説明】
【技術分野】
【０００１】
本発明は、コンデンサマイクロホンユニットと音声出力回路を有する出力モジュール部とが専用のマイクコードを介して接続されているコンデンサマイクロホンに関し、さらに詳しく言えば、マイクコードに加えられる電磁波に起因する雑音の発生を防止する技術に関するものである。
【背景技術】
【０００２】
コンデンサマイクロホンのうち、会議用のグースネック型マイクロホンや衣服などに取り付けて使用されるタイピン型マイクロホンなどでは、マイクロホンユニットと音声出力回路を有する出力モジュール部とが分離されており、それらは専用のマイクコードを介して接続される。図３にこのうちのマイクロホンユニット側の構成を断面として示す。
【０００３】
マイクロホンユニットは、基本的な構成として、マイクロホンカプセル１０と支持筐体２０とを備えている。この例では、マイクロホンカプセル１０は支持筐体２０に対して交換可能に支持されているが、マイクロホンカプセル１０と支持筐体２０とが一体になったものもある。
【０００４】
マイクロホンカプセル１０は例えば真鍮材からなる円筒状のハウジング１１を備え、筐体１１内には支持リング１３に張設された振動板１２と、絶縁座１５に支持された固定極１４とが電気絶縁性のスペーサ（図示省略）を介して対向的に配置された状態で収納されている。
【０００５】
筐体１１の背面側は裏蓋１６により閉じられており、固定極１４に図示しない配線を介して接続されているコンタクトピン１７が裏蓋１６から突出している。また、ハウジング１１の背面側には支持筐体２０と連結するための連結ネジ１８がハウジング１１と電気的に導通するように固定されている。
【０００６】
支持筐体２０は例えば真鍮材より円筒状に形成されており、その一端側（図３において上端側）には回路基板２１が筐体の内部を塞ぐように配置されている。回路基板２１にはインピーダンス変換器としてのＦＥＴ（電界効果トランジスタ）２２が実装されている。図示しないが、回路基板２１にはＦＥＴ２２のゲート，ドレイン，ソースの各電極に対するリード配線が形成されている。回路基板２１は両面回路基板で、少なくともゲート用リード配線はスルーホール内配線を介して回路基板２１の上面側に引き出されている。
【０００７】
回路基板２１上には、上記コンタクトピン１７と接触する板バネからなる接触端子２３がゴム弾性体のスペーサ２４に保持された状態で載置されている。接触端子２３の下端はＦＥＴ２２のゲート用リード配線と接触している。したがって、マイクロホンカプセル１０を支持筐体２０に連結すると、固定極１４がコンタクトピン１７および接触端子２３を介してＦＥＴ２２のゲートに接続される。
【０００８】
支持筐体２０の他端側（図３において下端側）にはコードブッシュ２６を有するコード導入孔２５が設けられており、このコード導入孔２５より図示しない出力モジュール部側から延びるマイクコード３０が支持筐体２０内に引き込まれる。グースネック型マイクロホンの場合、マイクコード３０はフレキシブルパイプを含む支持パイプ内に通される。
【０００９】
マイクコード３０には、電源をマイクロホンカプセル１０に供給する電源線と、ＦＥＴ２２から出力される音声信号を図示しない出力モジュール部に送信する信号線と、これら電源線および信号線を静電遮蔽し接地に落とされるシールド被覆線とを含む２芯シールド被覆線が用いられる。
【００１０】
支持筐体２０内に引き込まれた部分で、マイクコード３０には抜け止め用の結び玉３０ａが作られ、例えば電源線はＦＥＴ２２のゲート用リード配線に、信号線はドレイン用リード配線に、シールド被覆線はソース用リード配線にそれぞれハンダ付けされる。なお、ソース用リード配線は回路基板２１の周縁に引き回され支持筐体２０に接触している。
【００１１】
ところで、マイクコード３０に加えられる電磁波（マイクロホンにとっての雑音源）は一応シールド被覆線にて遮蔽されるが、マイクコード３０のシールド被覆線は電源線および信号線とともに支持筐体２０内に引き込まれているため、マイクコード３０に加えられる電磁波が支持筐体２０内に入り込んでしまい、ＦＥＴ２２にて検波され雑音が発生することがある。
【００１２】
近年、携帯電話機が急速に普及しているが、マイクロホン近傍で携帯電話機が使用された場合かなり強い電磁波（例えば、数ｃｍ〜数１０ｃｍ程度の範囲内では商用電波により市中で生じている電界強度の数万倍に達する電界強度）を受けるため、マイクロホンの分野では携帯電話機対策が急務とされている。
【００１３】
その一つの方法として、特許文献１にはマイクロホンユニットを導体からなる収納筒内に収納してなる例えばガンタイプのマイクロホンにおいて、マイクロホンユニットを最短距離で導体からなる収納筒に接続（接地）することが提案されている。
【００１４】
しかしながら、この方法はガンタイプなどのマイクロホンには有効であるものの、上記従来例のようにマイクロホンカプセルと出力モジュール部とが分離され、それらがマイクコードを介して接続されているマイクロホンには適用できない。
【００１５】
【特許文献１】特開２００１−１０３５９１号公報
【発明の開示】
【発明が解決しようとする課題】
【００１６】
したがって、本発明の課題は、コンデンサマイクロホンユニットと音声出力回路を有する出力モジュール部とが専用のマイクコードを介して接続されているコンデンサマイクロホンにおいて、簡単な構成により携帯電話機などから送出される強い電磁波による雑音の発生を効果的に防止することにある。
【課題を解決するための手段】
【００１７】
上記した課題を解決するため、請求項１に記載の発明は、２芯シールド被覆線からなるマイクコードを介して音声出力回路を有する出力モジュール部に接続されるコンデンサマイクロホンユニットを備え、上記コンデンサマイクロホンユニットには、円筒状のハウジング内に振動板と固定極とを対向的に収納してなるマイクロホンカプセルと、一端側で上記マイクロホンカプセルを支持し他端側にコード導入孔を有する金属製で円筒状の支持筐体とが含まれ、上記支持筐体内に上記固定極と所定の導通手段を介して電気的に接続されるインピーダンス変換器が実装されている回路基板が設けられているとともに、上記コード導入孔から上記マイクコードの一端が引き込まれて上記回路基板に接続されるコンデンサマイクロホンにおいて、上記マイクコードは上記支持筐体内に引き込まれる部分にシールド被覆線を剥き出しとしたシールド被覆線露出部を備え、上記支持筐体内には環状であって内周側が上記シールド被覆線露出部に固着され外周側が上記支持筐体の内面と電気的に接続される上記コード導入孔よりも大径である止め金具が設けられていることを特徴としている。
【００１８】
また、請求項２に記載の発明は、上記請求項１において、上記マイクコードの上記シールド被覆線露出部より先の部分には上記シールド被覆線が除去されていることを特徴としている。
【００１９】
請求項３に記載の発明は、上記請求項１または２において、上記止め金具の内周側には、上記シールド被覆線露出部が挿通され塑性変形によって上記シールド被覆線露出部に固着されるかしめ用のスリーブが一体に形成されていることを特徴としている。
【００２０】
請求項４に記載の発明は、上記請求項１，２または３において、上記支持筐体内には、同支持筐体の内面に摩擦的に係合し上記止め金具を押さえ込むようにして固定する座金が配置されていることを特徴としている。
【００２１】
請求項５に記載の発明は、上記請求項１，２または３において、上記支持筐体の内面には雌ネジが形成され、上記止め金具の外周面には上記雌ネジと螺合する雄ネジが形成されていて、上記止め金具が上記支持筐体内にネジ止めされることを特徴としている。
【発明の効果】
【００２２】
請求項１に記載の発明によれば、マイクコードのシールド被覆線が支持筐体内に引き込まれたコード導入孔の近辺で止め金具により支持筐体に確実に接続され、マイクコードに加えられた電磁波による高周波電流が支持筐体側に流れるため、電磁気による雑音の発生が防止される。
【００２３】
請求項２に記載の発明によれば、マイクコードのシールド被覆線露出部より先の部分にはシールド被覆線が除去されていることにより、電磁波の支持筐体内への入り込みをより確実に防止できる。
【００２４】
請求項３に記載の発明によれば、止め金具の内周側にはシールド被覆線露出部が挿通され塑性変形によってシールド被覆線露出部に固着されるかしめ用のスリーブが一体に形成されているため、シールド被覆線露出部に対する固着作業を容易に行うことができる。
【００２５】
請求項４または５記載の発明によれば、止め金具が支持筐体内において確実に固定されるため、マイクコードにかけられる引き抜き，押し込みおよび回転方向のいずれの応力に対しても対抗することができ、マイクコードの信頼性の高い固定状態が得られる。
【発明を実施するための最良の形態】
【００２６】
次に、図１および図２により本発明の実施形態について説明するが、本発明はこれに限定されるものではない。図１は本発明が備えるコンデンサマイクロホンユニットの一例を示す断面図，図２はその別の例を示す断面図である。なお、これらの図において、先の図３で説明した従来例と同一もしくは同一と見なされてよい構成要素にはそれと同じ参照符号を用い、その参照符号をもって説明に代えることがある。
【００２７】
本発明のコンデンサマイクロホンには、マイクコードを介して接続されるマイクロホンユニットと出力モジュール部とが含まれるが、図１および図２には先の図３と同じく、そのうちのマイクロホンユニット側のみを示す。出力モジュール部には少なくとも音声出力回路が設けられており、また電源はファントム電源，電池のいずれに求めてもよい。
【００２８】
図１を参照して、本発明におけるコンデンサマイクロホンユニットも基本的な構成として、マイクロホンカプセル１０と、マイクロホンカプセル１０を支持する支持筐体２０とを備えている。
【００２９】
本発明において、マイクロホンカプセル１０は先の図３で説明した構成と同じであってよいが、支持筐体２０に対して着脱可能（交換可能）である必要はなく、マイクロホンカプセル１０は支持筐体２０と一体であってもよい。また、指向性についても特に要求されるところはない。
【００３０】
先の図３で説明した従来例と同様に、支持筐体２０は例えば真鍮材より円筒状に形成されており、その一端側（図１において上端側）には回路基板２１が筐体の内部を塞ぐように配置されている。回路基板２１にはインピーダンス変換器としてのＦＥＴ２２が実装されている。図示しないが、回路基板２１にはＦＥＴ２２のゲート，ドレイン，ソースの各電極に対するリード配線が形成されている。回路基板２１は両面回路基板で、少なくともゲート用リード配線はスルーホール内配線を介して回路基板２１の上面側に引き出されている。
【００３１】
また、回路基板２１上には、コンタクトピン１７と接触する板バネからなる接触端子２３がゴム弾性体のスペーサ２４に保持された状態で載置されている。接触端子２３の下端はＦＥＴ２２のゲート用リード配線と接触している。したがって、マイクロホンカプセル１０を支持筐体２０に連結すると、固定極１４がコンタクトピン１７および接触端子２３を介してＦＥＴ２２のゲートに接続される。
【００３２】
支持筐体２０の他端側（図１において下端側）にはコードブッシュ２６を有するコード導入孔２５が設けられており、このコード導入孔２５より図示しない出力モジュール部側から延びるマイクコード３０が支持筐体２０内に引き込まれる。グースネック型マイクロホンの場合、マイクコード３０はフレキシブルパイプを含む支持パイプ内に通される。
【００３３】
マイクコード３０には、電源をマイクロホンカプセル１０に供給する電源線３１と、ＦＥＴ２２から出力される音声信号を図示しない出力モジュール部に送信する信号線３２と、これら電源線および信号線を静電遮蔽し接地に落とされる網状のシールド被覆線３３とを含む２芯シールド被覆線が用いられる。
【００３４】
本発明によると、マイクコード３０には支持筐体２０内に引き込まれる部分にシールド被覆線３３を剥き出しとしたシールド被覆線露出部３３ａが設けられ、このシールド被覆線露出部３３ａに止め金具４０が固着される。
【００３５】
この例では、マイクコード３０の回路基板２１と接続される先端側の外皮を取り除いてシールド被覆線３３を剥き出し、その剥き出したシールド被覆線３３を折り返してシールド被覆線露出部３３ａとしている。
【００３６】
これによれば、被覆線露出部３３ａより先の部分にはシールド被覆線３３が存在せず、電磁波の支持筐体２０内への入り込みを防止するうえで好ましいが、止め金具４０が固着される部分の外皮だけを取り除いてシールド被覆線露出部３３ａとしてもよい。
【００３７】
図１の例において、止め金具４０はコード導入孔２５よりも大径である分厚いワッシャ状（ドーナツ状）の環状体として形成され、その外径は支持筐体２０の内面に密接する大きさである。また、マイクコード３０が挿通される内周側には、塑性変形によってシールド被覆線露出部３３ａに固着されるかしめ用のスリーブ４１が一体に形成されている。止め金具４０の材質は容易に塑性変形し得るアルミニウム材が好適であるが、これ以外であってもよい。
【００３８】
マイクコード３０を支持筐体２０に取り付けるには、マイクコード３０をコード導入孔２５に挿通してその先端側を支持筐体２０の外側に引き出したのち、止め金具４０をマイクコード３０のシールド被覆線露出部３３ａに嵌めてスリーブ４１をかしめて固着する。
【００３９】
そして、マイクコード３０の電源線３１および信号線３２を回路基板２１の所定のリード配線にハンダ付けしたのち、マイクコード３０の先端側を支持筐体２０内に引き込み、止め金具４０の外周側を支持筐体２０の内面に密接させる。
【００４０】
これにより、マイクコード３０の抜けが防止されるとともに、シールド被覆線３３が止め金具４０を介して支持筐体２０に確実に電気的に接続されるため、マイクコード３０に加えられた強い電磁波による高周波電流は支持筐体２０側に流れ、支持筐体２０内に入り込まない。よって、電磁波による雑音の発生が防止される。
【００４１】
なお、図１の例では、止め金具４０の固定の信頼性を高めるため、止め金具４０の上にゴムなどの適当なクッション材５２を配置し、その上から支持筐体２０の内面に摩擦的に係合する座金５１を強制的にはめ込み、座金５１にて止め金具４０を押さえ込むようにしている。
【００４２】
次に、図２の例について説明する。この例においては、支持筐体２０の内面に雌ネジ２０ａを形成するとともに、止め金具４０の外周面にそれと螺合する雄ネジ４０ａを形成して、止め金具４０を支持筐体２０内にネジ止めする。これによれば、図１の例で用いている座金５１が不要となり、その分のコストダウンと組立作業性を改善できる。そのほかの構成は図１の例と同じであってよい。
【図面の簡単な説明】
【００４３】
【図１】本発明が備えるコンデンサマイクロホンユニットの一例を示す断面図。
【図２】上記コンデンサマイクロホンユニットの別の例を示す断面図。
【図３】従来例でのコンデンサマイクロホンユニット示す断面図。
【符号の説明】
【００４４】
１０  マイクロホンカプセル
１１  ハウジング
１２  振動板
１４  固定極
２０  支持筐体
２１  回路基板
２２  ＦＥＴ（インピーダンス変換器）
２５  コード導入孔
３０  マイクコード（２芯シールド被覆線）
３１  電源線
３２  信号線
３３  シールド被覆線
３３ａ  シールド被覆線露出部
４０  止め金具
４１  スリーブ
５１  座金
【図１】
2006074107.tif 000003
【図２】
2006074107.tif 000004
【図３】
2006074107.tif 000005